(57)【特許請求の範囲】
【請求項１】
表示部と、音声データのゲインを調整する調整ゲイン量を入力するゲイン入力部と、該ゲイン入力部より入力された調整ゲイン量のデータに基づいて音声データのゲインを調整するゲイン調整部と、前記ゲイン入力部より入力された調整ゲイン量のデータに基づいた図形を前記表示部に表示させる表示データを作成する制御部を有するオーディオデータ編集装置において、
前記制御部は、下辺と、該下辺と平行で該下辺に対してゲインを調整する前の音声データのゲインに対応する高さに位置する上辺と、前記下辺と前記上辺のそれぞれの両端同士を側方で結ぶ線とによって形成される多角形状の図形を表示する表示データとともに、前記調整ゲイン量がゲインを下げた調整ゲイン量である場合には前記上辺と前記下辺の間に前記上辺から前記調整ゲイン量に対応した位置に前記上辺と平行する線分を表示する表示データを作成し、前記調整ゲイン量がゲインを上げた調整ゲイン量である場合には前記上辺と前記下辺の間に前記上辺から前記調整ゲイン量に対応した位置に前記上辺と平行する線分を表示する表示データを作成し、かつ、前記調整ゲイン量がゲインを上げた調整ゲイン量である場合の前記線分を表示する表示データは、その両端と前記上辺の両端とを前記側方を結ぶ線とは異なる線をもってそれぞれ結ぶ線を表示する表示データを付加するように作成するものであることを特徴とするオーディオデータ編集装置。
【請求項２】
表示部と、音声データのゲインを調整する調整ゲイン量を入力するゲイン入力部と、該ゲイン入力部より入力された調整ゲイン量のデータに基づいて音声データのゲインを調整するゲイン調整部と、前記ゲイン入力部より入力された調整ゲイン量のデータに基づいた図形を前記表示部に表示させる表示データを作成する制御部を有するオーディオデータ編集装置において、
前記制御部は、下辺と、該下辺と平行で該下辺に対してゲインを調整する前の音声データのゲインに対応する高さに位置する上辺と、前記下辺と前記上辺のそれぞれの両端同士を側方で結ぶ線とによって形成される多角形状の図形を表示する表示データとともに、前記調整ゲイン量がゲインを下げた調整ゲイン量である場合には前記上辺と前記下辺の間に前記上辺から前記調整ゲイン量に対応した位置に前記上辺と平行する線分を表示する表示データを作成し、前記調整ゲイン量がゲインを上げた調整ゲイン量である場合には前記上辺と前記下辺の間に前記上辺から前記調整ゲイン量に対応した位置に前記上辺と平行する線分を表示する表示データを作成し、かつ、前記調整ゲイン量を示す線分を表示する表示データは、ゲインを下げた調整ゲイン量を示す表示データである場合と、ゲインを上げた調整ゲイン量を示す表示データである場合とで、異なる色の表示データとして作成するものであることを特徴とするオーディオデータ編集装置。
【請求項３】
前記多角形状が台形であることを特徴とする請求項１または２に記載のオーディオデータ編集装置。
【請求項４】
前記多角形状が長方形であることを特徴とする請求項１または２に記載のオーディオデータ編集装置。
【請求項５】
オーディオデータ編集装置における表示方法であって、音声データの調整ゲイン量の−∞ｄＢを示す下辺と、該下辺に平行で該下辺から離れた高さに位置して前記調整ゲイン量が０ｄＢであることを示す上辺と、前記下辺と前記上辺のそれぞれの両端同士を側方で結ぶ線とによって形成される多角形状の表示図形とともに、前記調整ゲイン量がゲインを下げた調整ゲイン量である場合には前記上辺と前記下辺の間に前記上辺から前記調整ゲイン量に対応する位置に前記上辺と平行する線分を付加する表示を行ない、前記調整ゲイン量がゲインを上げた調整ゲイン量である場合には前記上辺と前記下辺の間に前記上辺から前記調整ゲイン量に対応する位置に前記上辺と平行する線分を付加する表示を行ない、かつ、前記調整ゲイン量がゲインを上げた調整ゲイン量である場合の前記線分は、その両端と前記上辺の両端とを前記側方を結ぶ線とは異なる線をもってそれぞれ結ぶ線を付加するように表示を行なうことを特徴とするオーディオデータ編集装置における表示方法。
【請求項６】
オーディオデータ編集装置における表示方法であって、音声データの調整ゲイン量の−∞ｄＢを示す下辺と、該下辺に平行で該下辺から離れた高さに位置して前記調整ゲイン量が０ｄＢであることを示す上辺と、前記下辺と前記上辺のそれぞれの両端同士を側方で結ぶ線とによって形成される多角形状の表示図形とともに、前記調整ゲイン量がゲインを下げた調整ゲイン量である場合には前記上辺と前記下辺の間に前記上辺から前記調整ゲイン量に対応する位置に前記上辺と平行する線分を付加する表示を行ない、前記調整ゲイン量がゲインを上げた調整ゲイン量である場合には前記上辺と前記下辺の間に前記上辺から前記調整ゲイン量に対応する位置に前記上辺と平行する線分を付加する表示を行ない、かつ、前記調整ゲイン量を示す線分の表示は、ゲインを下げた調整ゲイン量を表示する場合と、ゲインを上げた調整ゲイン量を表示する場合とで、異なる色で表示することを特徴とするオーディオデータ編集装置における表示方法。
【請求項７】
前記多角形状が台形であることを特徴とする請求項５または６に記載のオーディオデータ編集装置における表示方法。
【請求項８】
前記多角形状が長方形であることを特徴とする請求項５または６に記載のオーディオデータ編集装置における表示方法。
【発明の詳細な説明】
【０００１】
【発明の属する技術分野】
本発明は、ビデオ制作、テレビ放送番組制作、コンピュータアニメ制作、マルチメディアソフトウエア制作、ゲームソフト制作等に用いられるオーディオデータ編集装置、特に、映像データが記録された媒体に後からその場面にあった音声、効果音、音楽等のオーディオデータを記録する、いわゆるアフターレコーディング（以下、「アフレコ」という。）と呼ばれる編集をするためのオーディオデータ編集装置およびオーディオデータ編集装置における表示方法に関するものである。
【０００２】
【従来の技術】
従来のオーディオデータの編集作業には、ミキサーと呼ばれるオーディオデータ編集装置が使用される。オーディオデータ編集装置には、映像データを再生、記録するためのビデオテープレコーダ等の映像信号の再生記録装置、音声データを再生、記録するためのオーディオレコーダ、大容量記憶装置等の音声信号の再生記録装置、テレビモニタ、スピーカ等の周辺機器が接続され、映像データに音声データを付加する作業が行われる。周辺機器の一部がオーディオデータ編集装置の本体部に内蔵されている装置もある。以下の説明では、周辺機器を除いたオーディオデータ編集装置の本体部をオーディオデータ編集装置と呼ぶことにする。もちろん、周辺機器を含めてオーディオデータ編集装置と呼んでもよい。
【０００３】
図９は、オーディオデータ編集装置に周辺機器を接続した従来例を説明するためのブロック図である。図中、１１はオーディオデータ編集装置、１２はテレビモニタ、１３，１４はスピーカ、１５，１６はビデオテープレコーダ、１７はオーディオレコーダである。
【０００４】
音声合成すべき映像データをビデオテープレコーダ１５などで再生し、その再生画面をテレビモニタ１２に映し出し、この映像をミキシングエンジニアが見ながら、予め録音して用意しておいた音声、効果音あるいは音楽等のオーディオデータをオーディオレコーダ１７で再生し、その音をスピーカ１３，１４で確認しながらオーディオデータ編集装置１１を操作して、映像データとオーディオデータを合成し、この合成後の映像データとオーディオデータをビデオテープレコーダ１６に挿入されているビデオテープなどに記録する。このようにして、ビデオテープレコーダ１５に挿入されているビデオテープ記録された映像データに、オーディオレコーダ１７に録音されたオーディオデータをアフレコして付加することができる。
【０００５】
図１０は、図９で説明したオーディオデータ編集装置の操作パネル面の一例を示す概略図である。図中、１１はオーディオデータ編集装置、２１はマスターボリューム、２２はボリュームメータ（ＶＵ計）、２３はゲインボリューム、２４はディスプレイである。
【０００６】
マスターボリューム２１は、最終出力の音量を調整するものであり、調整された左右のオーディオデータの音量は、ボリュームメータ（ＶＵ計）２２に表示される。オーディオデータの音量は、ゲインボリューム２３によって調整される。ディスプレイ２４には、編集するオーディオデータの波形等が表示される。なお、上述した操作部の他、ビデオテープレコーダやオーディオレコーダの記録、再生の指示、走行、停止、巻き戻し、早送り、さらには、コマ送り、スロー再生等の指示などを行なう多くの操作つまみやスイッチ類が備えられている。
【０００７】
ミキシングエンジニアは、オーディオデータの編集時に、テレビモニタ１２に表示された映像データ、および、ディスプレイ２４に表示されるオーディオデータを見ながら、ゲインボリューム２３で各チャンネルのオーディオデータの音量を設定する等の操作を行なっていた。
【０００８】
図１１は、図１０のオーディオデータ編集装置における編集画面を説明するための模式図である。オーディオデータの編集時に、オーディオデータ編集装置１１のディスプレイ２５には、図１１の（Ａ），（Ｂ），（Ｃ）に示すような編集画面が表示される。（Ａ）は、オーディオデータ１の波形、（Ｂ）はオーディオデータ２の波形、（Ｃ）は編集したオーディオデータである。（Ａ），（Ｂ）の横軸は、各オーディオデータの再生時間、（Ｃ）の横軸は、映像データの再生時間であり、タイムコードに同期して表示される。編集操作は、オーディオデータをカット・アンド・ペーストすることにより行なわれる。
【０００９】
図１１に示すように、ミキシングエンジニアは、オーディオデータ１のα部分のデータを切り取る。切り取ったオーディオデータを「テイク」と呼んでいる。１つのテイクの長さは、適宜に切り取った長さであるから、一定ではない。上記のα部分の長さは２０秒であり、これをテイク１として映像データの再生時間１０秒から３０秒の部分に貼り付ける。また、オーディオデータ２のβ部分のデータを切り取る。切り取ったオーディオデータであるβ部分の長さは１５秒であり、これをテイク２として、映像データの再生時間４５秒から６０秒の部分に貼り付ける。このとき、編集したオーディオデータの画面（Ｃ）には、オーディオデータを波形でなく、オーディオデータの開始時間から終了時間を示す四角形（テイクごと）で表示することができる。なお、必要により切替ボタンにより波形表示も可能である。そして、ミキシングエンジニアは、ゲインボリューム２４を操作し、各テイクごとにオーディオデータの音量調整を行なう。
【００１０】
従来のオーディオデータ編集装置におけるテイク単位の表示では、各オーディオデータ（テイク）の音量を上げたか、下げたか、すなわち、オーディオデータの録音時の音量に対して音量を上げたか、下げたかの調整を行なった場合の調整ゲイン量の表示が行なわれている。図１２は、その表示の一例であり、１つのテイクについて、調整しない場合を台形２５とした基本図形とし、ゲインを調整した場合に、調整の方向について矢印２５ａまたは２５ｂを付加した表示をするものである。ゲインを下げたテイクにおいては、図１２（Ａ）に示すように下向きの矢印２５ａが付された図形が表示され、ゲインを上げたテイクにおいては、図１２（Ｂ）に示すように、上向きの矢印２５ｂが付された図形が表示される。
【００１１】
しかしながら、従来の方法で編集を行なう場合、ミキシングエンジニアは、オーディオデータ（テイク）が、画面上を左右にスクロールされている状態（検索している状態）で、編集画面上のオーディオデータ（テイク）を見ているので、ゲイン（音量）を上げたか下げたかを示す矢印２５ａ，２５ｂのみによる表示では、ゲイン（音量）調整を行なったかどうかを一目で確認するのが困難であるという問題がある。
【００１２】
また、音量の調整量を数値で確認するためには、別の画面に切り換えて、音量の調整量、すなわち、調整ゲイン量を確認したいテイクをカーソルにより選択し、音量データを表示させる画面を開くという操作を行なうために、編集に時間がかかる等の問題があった。
【００１３】
【発明が解決しようとする課題】
本発明は、上述した事情に鑑みてなされたもので、オーディオデータ（テイク）を示す図形をゲイン調整量を示す図柄にすることによって、調整ゲイン量を別の画面で確認することなく、高速に編集が行なえることができるオーディオデータ（テイク）編集装置およびオーディオデータ編集装置における表示方法を提供することを目的とするものである。
【００１４】
【課題を解決するための手段】
請求項１に記載の発明は、表示部と、音声データのゲインを調整する調整ゲイン量を入力するゲイン入力部と、該ゲイン入力部より入力された調整ゲイン量のデータに基づいて音声データのゲインを調整するゲイン調整部と、前記ゲイン入力部より入力された調整ゲイン量のデータに基づいた図形を前記表示部に表示させる表示データを作成する制御部を有するオーディオデータ編集装置において、前記制御部は、下辺と、該下辺と平行で該下辺に対してゲインを調整する前の音声データのゲインに対応する高さに位置する上辺と、前記下辺と前記上辺のそれぞれの両端同士を側方で結ぶ線とによって形成される多角形状の図形を表示する表示データとともに、前記調整ゲイン量がゲインを下げた調整ゲイン量である場合には前記上辺と前記下辺の間に前記上辺から前記調整ゲイン量に対応した位置に前記上辺と平行する線分を表示する表示データを作成し、前記調整ゲイン量がゲインを上げた調整ゲイン量である場合には前記上辺と前記下辺の間に前記上辺から前記調整ゲイン量に対応した位置に前記上辺と平行する線分を表示する表示データを作成し、かつ、前記調整ゲイン量がゲインを上げた調整ゲイン量である場合の前記線分を表示する表示データは、その両端と前記上辺の両端とを前記側方を結ぶ線とは異なる線をもってそれぞれ結ぶ線を表示する表示データを付加するように作成するものであることを特徴とするものである。
【００１５】
請求項２に記載の発明は、表示部と、音声データのゲインを調整する調整ゲイン量を入力するゲイン入力部と、該ゲイン入力部より入力された調整ゲイン量のデータに基づいて音声データのゲインを調整するゲイン調整部と、前記ゲイン入力部より入力された調整ゲイン量のデータに基づいた図形を前記表示部に表示させる表示データを作成する制御部を有するオーディオデータ編集装置において、前記制御部は、下辺と、該下辺と平行で該下辺に対してゲインを調整する前の音声データのゲインに対応する高さに位置する上辺と、前記下辺と前記上辺のそれぞれの両端同士を側方で結ぶ線とによって形成される多角形状の図形を表示する表示データとともに、前記調整ゲイン量がゲインを下げた調整ゲイン量である場合には前記上辺と前記下辺の間に前記上辺から前記調整ゲイン量に対応した位置に前記上辺と平行する線分を表示する表示データを作成し、前記調整ゲイン量がゲインを上げた調整ゲイン量である場合には前記上辺と前記下辺の間に前記上辺から前記調整ゲイン量に対応した位置に前記上辺と平行する線分を表示する表示データを作成し、かつ、前記調整ゲイン量を示す線分を表示する表示データは、ゲインを下げた調整ゲイン量を示す表示データである場合と、ゲインを上げた調整ゲイン量を示す表示データである場合とで、異なる色の表示データとして作成するものであることを特徴とするものである。
【００１６】
請求項３に記載の発明は、請求項１または２に記載のオーディオデータ編集装置において、前記多角形状が台形であることを特徴とするものである。
【００１７】
請求項４に記載の発明は、請求項１または２に記載のオーディオデータ編集装置において、前記多角形状が長方形であることを特徴とするものである。
【００１８】
請求項５に記載の発明は、オーディオデータ編集装置における表示方法であって、音声データの調整ゲイン量の−∞ｄＢを示す下辺と、該下辺に平行で該下辺から離れた高さに位置して前記調整ゲイン量が０ｄＢであることを示す上辺と、前記下辺と前記上辺のそれぞれの両端同士を側方で結ぶ線とによって形成される多角形状の表示図形とともに、前記調整ゲイン量がゲインを下げた調整ゲイン量である場合には前記上辺と前記下辺の間に前記上辺から前記調整ゲイン量に対応する位置に前記上辺と平行する線分を付加する表示を行ない、前記調整ゲイン量がゲインを上げた調整ゲイン量である場合には前記上辺と前記下辺の間に前記上辺から前記調整ゲイン量に対応する位置に前記上辺と平行する線分を付加する表示を行ない、かつ、前記調整ゲイン量がゲインを上げた調整ゲイン量である場合の前記線分は、その両端と前記上辺の両端とを前記側方を結ぶ線とは異なる線をもってそれぞれ結ぶ線を付加するように表示を行なうことを特徴とするものである。
【００１９】
請求項６に記載の発明は、オーディオデータ編集装置における表示方法であって、音声データの調整ゲイン量の−∞ｄＢを示す下辺と、該下辺に平行で該下辺から離れた高さに位置して前記調整ゲイン量が０ｄＢであることを示す上辺と、前記下辺と前記上辺のそれぞれの両端同士を側方で結ぶ線とによって形成される多角形状の表示図形とともに、前記調整ゲイン量がゲインを下げた調整ゲイン量である場合には前記上辺と前記下辺の間に前記上辺から前記調整ゲイン量に対応する位置に前記上辺と平行する線分を付加する表示を行ない、前記調整ゲイン量がゲインを上げた調整ゲイン量である場合には前記上辺と前記下辺の間に前記上辺から前記調整ゲイン量に対応する位置に前記上辺と平行する線分を付加する表示を行ない、かつ、前記調整ゲイン量を示す線分の表示は、ゲインを下げた調整ゲイン量を表示する場合と、ゲインを上げた調整ゲイン量を表示する場合とで、異なる色で表示することを特徴とするものである。
【００２０】
請求項７に記載の発明は、請求項５または６に記載のオーディオデータ編集装置における表示方法において、前記多角形状が台形であることを特徴とするものである。
【００２１】
請求項８に記載の発明は、請求項５または６に記載のオーディオデータ編集装置における表示方法において、前記多角形状が長方形であることを特徴とするものである。
【００２２】
【発明の実施の形態】
図１は、本発明のオーディオデータ編集装置の実施の形態の一例を説明するための要部のブロック図である。図中、１は制御部、２はディスプレイ、３は入力部、４はゲイン入力部、５はメモリ、６は記録装置である。なお、周辺機器との構成や、操作パネル面の一例については、図９，図１０で説明した構成を採用したものとして説明するが、これに限られるものではない。
【００２３】
ディスプレイ２は、図１０のディスプレイ２４に相当するものであり、制御部１から送られてくる編集操作を行なうための画像を表示する。入力部３は、ミキシングエンジニアによる指示を制御部１に送る。ゲイン入力部４は、制御部１に調整ゲイン量の値を送る。メモリ５は、編集を行なっているデータを一時蓄えるＲＡＭやハードディスク等を用いて構成されている。記録装置６は、編集を行なうために必要なデータを蓄えているものであり、図９で説明したビデオレコーダ１５，１６、オーディオレコーダ１７が相当する。制御部１は、各部の制御や演算処理等を行なうもので、ＣＰＵ（中央処理装置）を含んでいる。
【００２４】
ミキシングエンジニアがゲインの調整を行なう場合、入力部３で指示を入力することによって、ディスプレイにおいて調整を行なうオーディオデータを選択し、ゲイン調整と切り取りを行なう状態にする。すなわち、選択したオーディオデータをゲインの調整状態にして、ゲイン入力部４で目的のゲインになるように指示し、所望部分のオーディオデータを切り取って、画像に貼り付けるテイクとする。ゲイン入力部４におけるゲイン調整は、図１０で説明したゲインボリューム２３によって行なわれるが、ゲイン入力部４は、ゲイン量をデジタル信号として作成し、制御部１に送出する。制御部１は、ゲイン入力部４から指定されたゲイン量のデータを、メモリ５に記憶する。ゲイン量の表示を行なう場合には、制御部１が、調整ゲイン量を表示する画像データを作成してディスプレイ２に送る。
【００２５】
編集されたデータの一部分、あるいは、全体を再生して、チェックを行ないながら、修正が行なわれる。再生の際には、入力部３からの指示によって、アフレコしたオーディオデータの挿入位置や音量、テイクが適正かどうかなどのチェック、修正も行なわれる。音量について、調整ゲイン量を表示させるように、ミキシングエンジニアが指示を与えた場合には、制御部１は、メモリ５から読み出した調整ゲイン量のデータに基づいて、調整ゲイン量を表示する画像データを作成してディスプレイ２に送り、表示をさせる。調整ゲイン量が再度修正された場合は、修正された調整ゲイン量をメモリ５に上書きする。この際、必要に応じて、調整ゲイン量を表示する画像データを作成しなおしてディスプレイ２に送って表示をさせることもできる。
【００２６】
なお、テイクごとの調整ゲイン量のデータは、上述したように、メモリ５に記憶され、表示を行なう場合に、制御部１が調整ゲイン量のデータに基づいて、表示する画像データを作成するようにしたが、調整ゲイン量のデータとともに、それに基づいて制御部１が作成した調整ゲイン量を表示する画像データもメモリ５に記憶させるようにしてもよい。メモリ５に記憶された情報は、最終的に記録装置６のうちの編集済みデータを記録するビデオテープに記録される。
【００２７】
図２は、本発明のオーディオデータ編集装置の第１の実施の形態におけるオーディオデータの１つのテイクにおける編集画面での調整ゲイン量の表示画像の説明図であり、図２（Ａ）はゲインを下げた場合の表示画像の図、図２（Ｂ）はゲインを上げた場合の表示画像の図、図２（Ｃ）は−∞ｄＢの場合の表示画像の図、図２（Ｄ）は０ｄＢの場合の表示画像の図である。図中、７は基本図形、７ａ，７ｂ，７ｃ，７ｄは調整ゲイン量を示す線である。
【００２８】
この実施の形態では、１つのテイクのゲインの調整前のゲインを示す基本図形７として、台形を用いて表示するものである。台形における上底と下底の中間の横線分は、調整ゲイン量を示している。調整ゲイン量は縦軸をＬｏｇスケール（単位はｄＢ）で表している。調整ゲイン量は相対値としてもよく、増幅度としてもよいが、以下の説明では、調整ゲイン量を相対値で表すものとし、上底の縦軸レベルを０ｄＢとする。ゲイン量が−∞ｄＢ、すなわち、∞ｄＢの減衰を与えた場合には、中間の横線分は、台形の下底と等しくなる。ゲイン調整がない場合は、中間の横線分は、台形の上底と等しくなり、オーディオデータ（テイク）の録音時の音量（レベル）ということになる。
【００２９】
下底の横方向の長さは、テイクの継続時間と比例させたものとしてもよく、あるいは、表示されているテイクの先頭部分など、所定の位置に一定の長さで表示するようにしてもよい。
【００３０】
録音時の音量レベルに対して、音量レベルを下げた場合の表示画像は、図２（Ａ）に示すように、基本図形７とともに、上底よりも低い位置に横線によって調整ゲイン量７ａが表示される。録音時の音量レベルに対して、音量レベルを上げた場合の表示画像は、調整ゲイン量を示す横線は、上底よりも高い位置に表示されるように表示されればよいが、本発明では、図２（Ｂ）に示すように、音量レベルが上がった場合の調整ゲイン量を示す線分の両端と上底の両端とを結んで、上底より高くする分だけ下方に折り返したような表示としている。このように、上底より高くなる分を上底の下方に表示し、調整ゲイン量を示す線分の両端と上底の両端とを結ぶようにすることによって、テイクの表示領域が基本図形からはみ出すことがなく、編集画面を有効に使うことが可能となる。また、折り返したような図形で表示することにより、下方に折り返された部分が台形状に表示されるから、音量レベルを下げた場合の図２（Ａ）との対比も明確に区別でき、オーディオデータ（テイク）が、画面上を左右にスクロールされている状態（検索している状態）でも、ゲイン（音量）を上げたか下げたかが、容易に確認することができる。
【００３１】
図２（Ａ）において、調整ゲイン量を−∞ｄＢとした場合には、調整ゲイン量を示す線７ａは基本図形７の下底に一致し、基本図形７だけの表示となり、図２（Ｂ）において、音量レベルを上げる量が０ｄＢである場合には、調整ゲイン量を示す線７ｂが基本図形７の上底に一致し、基本図形７だけの表示となるから、両者の表示が一致し、調整ゲイン量が−∞ｄＢであるのか、０ｄＢであるのか、の区別が付かない。そこで、少なくとも一方の場合を基本図形７とは異なる表示とするようにする。この実施の形態では、調整ゲイン量が−∞ｄＢの場合には、図２（Ｃ）に示すように、調整ゲイン量を示す線７ｃ以外の線を点線とした。このようにすれば、調整ゲイン量が−∞ｄＢであることが明瞭になり、調整ゲイン量が０ｄＢの場合には、図２（Ｄ）に示すように、基本図形７が表示され、上底７ｄが調整ゲイン量を示す線となり、調整ゲイン量が−∞ｄＢであるか、０ｄＢであるかの区別が明確に表示できる。
【００３２】
下底の長さを常に一定の長さとし表示を行なうための制御部１の動作の一例について説明する。基本図形７は、あらかじめメモリに格納されている。ゲイン調整が行なわれていない場合には、制御部１は、メモリから読み出した基本図形７のデータを、表示位置を示すデータとともに、ディスプレイ２に送出してゲイン図形表示を行なわせる。ゲイン調整が行なわれた場合には、制御部１は、ゲイン入力部４から送られた調整ゲイン量のデータに基づいて、ディスプレイ２に送出した基本図形７における調整ゲイン量を示す線のデータを演算し、演算結果に基づく調整ゲイン量を示す線７ａまたは７ｂのデータをディスプレイ２に送出し、基本図形７に重ねて表示させる。調整ゲイン量が−∞ｄＢである場合には、基本図形７を示すデータを点線の表示となるように変更したデータに置き換えるとともに、下底に相当する位置のデータを送出して破線の基本図形７に重ねて表示させる。
【００３３】
なお、制御部１における表示データの作成は、適宜のベクトルデータを演算してディスプレイ２に送出して、ディスプレイ２におけるＶＲＡＭ等、適宜の駆動手段により表示をさせることができるから、上述した動作に限られるものではない。また、下底の長さをそのテイクの継続時間に応じて表示させることもできる。
【００３４】
図３は、図２で説明した第１の実施の形態において、図２（Ｃ）および図２（Ｄ）で説明した−∞ｄＢおよび０ｄＢの表示の変形例を説明するための表示画像の図である。図中、図２と同様の部分には同じ符号を付して説明を省略する。７ｅ，７ｆは調整ゲイン量を示す線である。
【００３５】
この例では、ゲインを下げた場合、および、ゲインを上げた場合の表示画像の図は図２（Ａ），（Ｂ）で説明したものと同じであるが、調整ゲイン量が−∞ｄＢの場合は、図３（Ａ）に示すように二重線７ｅで表示し、調整ゲイン量が０ｄＢの場合は、図３（Ｂ）に示すように二重線７ｆで表示するようにして、両者の区別をした。なお、０ｄＢの表示は、図２（Ｄ）と同じにして、基本図形７だけの表示としてもよい。逆に、−∞ｄＢを図２（Ｄ）と同じとし、０ｄＢを図３（Ｂ）に示す表示としてもよい。
【００３６】
図４は、本発明のオーディオデータ編集装置の第２の実施の形態におけるオーディオデータの１つのテイクにおける編集画面でのゲイン量の表示画像の説明図であり、図４（Ａ）はゲインを下げた場合の表示画像の図、図４（Ｂ）はゲインを上げた場合の表示画像の図である。図中、図２と同様の部分には同じ符号を付して説明を省略する。
【００３７】
この実施の形態では、ゲイン量を下げた場合の表示も台形表示で行なうようにした。もちろん、基本図形７とは異なる台形であり、基本図形７の内側に入る台形表示とした。すなわち、図２（Ａ）における調整ゲインを示す線７ａの両側を短くして、短くした上底と下底を結ぶ側辺を付した表示画像とした。図２（Ａ）における調整ゲインを示す線７ａの両側を長くして、基本図形７の外側に出るような台形にしてもよい。ゲインを上げた場合の表示画像は、第１の実施の形態と同じである。また、−∞ｄＢの表示と０ｄＢの調整ゲイン量の表示については、図２（Ｃ），（Ｄ）または図３（Ａ），（Ｂ）で説明したものと同様である。
【００３８】
図５は、本発明のオーディオデータ編集装置の第３の実施の形態におけるオーディオデータの１つのテイクにおける編集画面での調整ゲイン量の表示画像の説明図であり、図５（Ａ）はゲインを下げた場合の表示画像の図、図５（Ｂ）はゲインを上げた場合の表示画像の図、図５（Ｃ）は−∞ｄＢの場合の表示画像の図、図５（Ｄ）は０ｄＢの場合の表示画像の図である。図中、８は基本図形、８ａ，８ｂ，８ｃ，８ｄは調整ゲイン量を示す線である。
【００３９】
上述した実施の形態では、テイクの調整ゲイン量を表す基本図形を台形の画像で表示したが、この実施の形態では、長方形の画像で基本図形を表すようにした。ゲインを下げた場合の調整ゲイン量を示す線８ａは上辺より下方の線として表示され、ゲインを上げた場合の調整ゲイン量を示す線８ｂは、上辺より下方に向かう台形の下底として表示するようにした。第１の実施の形態において、台形の基本図形７を長方形の基本図形８に変更したものに相当し、調整ゲイン量が−∞ｄＢの場合の図５（Ｃ）示す表示画像および調整ゲイン量が０ｄＢの場合の図５（Ｄ）に示す表示画像は、図２（Ｃ），（Ｄ）とそれぞれ同様である。調整ゲイン量が−∞ｄＢの場合、および、０ｄＢの場合の表示を図３で説明したように二重線による表示としてもよいことは勿論である。
【００４０】
図６は、本発明のオーディオデータ編集装置の第４の実施の形態におけるオーディオデータの１つのテイクにおける編集画面での調整ゲイン量の表示画像の説明図であり、図６（Ａ）はゲインを下げた場合の表示画像の図、図６（Ｂ）はゲインを上げた場合の表示画像の図である。図中、図５と同様の部分には同じ符号を付して説明を省略する。
【００４１】
この実施の形態では、ゲインを下げた場合の表示も台形表示で行なうようにした。ゲインを上げた場合の表示画像は、第３の実施の形態と同じである。また、調整ゲイン量の−∞ｄＢの表示と０ｄＢの表示については、第３の実施の形態で説明したと同様である。
【００４２】
なお、第２〜第４の実施の形態における表示画像のためのデータの作成における制御部１の動作は、第１の実施の形態で説明したものと同様である。これらの実施の形態においては、表示のための色彩は適宜でよい。もちろん、基本図形７または８と調整ゲインを示す横線および、台形とするための側辺を全て同一色としてもよい。
【００４３】
これに対して、ゲインを下げた場合の横線とゲインを上げた場合の横線と異なる色彩としてもよい。例えば、ゲインを下げた場合の調整ゲイン量を示す線７ａ，７ｃ，７ｅ，８ａ，８ｃを青の着色線、ゲインを上げた場合の調整ゲイン量を示す線７ｂ，８ｂを赤の着色線で表示するようにしてもよい。また、−∞ｄＢおよび０ｄＢの場合の調整ゲイン量を示す線を上記の色とは異なる色で表示するようにしてもよい。
【００４４】
図７は、本発明のオーディオデータ編集装置の第５の実施の形態におけるオーディオデータの１つのテイクにおける編集画面での調整ゲイン量の表示画像の説明図であり、図７（Ａ）はゲインを下げた場合の表示画像の図、図７（Ｂ）はゲインを上げた場合の表示画像の図である。図中、図２と同様の部分には同じ符号を付して説明を省略する。９は第１の色の着色領域、１０は第２の色の着色領域である。
【００４５】
この実施の形態では、調整ゲイン量を示す線の着色だけでなく、その内側の少なくとも一部の領域を着色領域とした。ゲインを下げた場合は、図７（Ａ）に示すように、調整ゲイン量を示す線７ａの下方の領域のうちの輪郭部を第１の色の着色領域９とした。第１の色の着色領域９は、例えば、赤色に着色される。ゲインを上げた場合は、図７（Ｂ）に示すように、調整ゲイン量を示す線７ｂの上方の領域のうちの輪郭部を第２の色の着色領域１０とした。第２の色の着色領域１０は、例えば、青色に着色される。着色により、ゲインの調整量が、より認識しやすくなる。この実施の形態においても、−∞ｄＢの場合、および、０ｄＢの場合の調整ゲイン量の表示は、上述した各実施の態様における表示と同様の表示を採用できる。
【００４６】
このように、調整ゲイン量を示す線に伴う台形の内側の少なくとも一部の領域を着色領域とする表示は、基本図形を長方形とした第３および第４の実施の形態においても適用できることは明らかである。
【００４７】
図８は、本発明のオーディオデータ編集装置の第６の実施の形態におけるオーディオデータの１つのテイクにおける編集画面での調整ゲイン量の表示画像の説明図であり、図８（Ａ）はゲインを下げた場合の表示画像の図、図８（Ｂ）はゲインを上げた場合の表示画像の図である。図中、図５，図７と同様の部分には同じ符号を付して説明を省略する。
【００４８】
この実施の形態では、基本図形を長方形とした点は、図５で説明した第３の実施の形態と同様であるが、色彩で区別できるようにしたことによって、ゲインを上げた場合の折り返しの形状について、これを台形状とすることなく、長方形によることも可能となったものである。ゲインを下げた場合は、図８（Ａ）に示すように、調整ゲイン量を示す線７ａの下方の長方形の領域のうちの輪郭部を第１の色の着色領域９とした。第１の色の着色領域９は、例えば、赤色に着色される。ゲインを上げた場合は、図８（Ｂ）に示すように、調整ゲイン量を示す線７ｂの上方の長方形の領域のうちの輪郭部を第２の色の着色領域１０とした。第２の色の着色領域１０は、例えば、青色に着色される。着色により、調整ゲイン量が、より認識しやすくなる。この実施の形態においても、−∞ｄＢの場合、および、０ｄＢの場合の調整ゲイン量の表示は、上述した各実施の態様における表示と同様の表示を採用できる。
【００４９】
なお、上述した実施の形態では、基本図形として、台形または長方形を用いたが、本発明は、これに限られるものではなく、平行四辺形など、上辺と下辺がほぼ平行な適宜の四角形を用いることができる。さらに、上辺と下辺がほぼ平行であれば、側方の形状は適宜でよいから、５角形以上の多角形でもよい。さらに、側方の形状を、曲線、例えば、円弧、楕円弧などでもよく、本明細書では、これらを含めて、多角形という用語を用いている。
【００５０】
【発明の効果】
以上の説明から明らかなように、本発明によれば、ゲイン（音量）調整が行なわれたことによって、調整ゲイン量を示すように表示図形が変化するので、ゲイン調整されたオーディオデータ（テイク）を見落とすことがなくなり、また、オーディオデータ（テイク）ごとに調整ゲイン量を見るために別の画面を開く必要もなく、編集処理を高速に行なうことができる。さらに、ゲインを上げた場合の表示画像は、調整ゲイン量を示す線分の両端が上辺に結ばれて、折り返したように表示され、または、異なる色で表示されるから、表示領域が基本図形からはみ出すことがなく、編集画面を有効に使うことができるという効果がある。
【図面の簡単な説明】
【図１】本発明のオーディオデータ編集装置の実施の形態の一例を説明するための要部のブロック図である。
【図２】本発明のオーディオデータ編集装置の第１の実施の形態におけるオーディオデータの１つのテイクにおける編集画面での調整ゲイン量の表示画像の説明図である。
【図３】第１の実施の形態の変形例にける表示画像の説明図である。
【図４】本発明のオーディオデータ編集装置の第２の実施の形態におけるオーディオデータの１つのテイクにおける編集画面での調整ゲイン量の表示画像の説明図である。
【図５】本発明のオーディオデータ編集装置の第３の実施の形態におけるオーディオデータの１つのテイクにおける編集画面での調整ゲイン量の表示画像の説明図である。
【図６】本発明のオーディオデータ編集装置の第４の実施の形態におけるオーディオデータの１つのテイクにおける編集画面での調整ゲイン量の表示画像の説明図である。
【図７】本発明のオーディオデータ編集装置の第５の実施の形態におけるオーディオデータの１つのテイクにおける編集画面での調整ゲイン量の表示画像の説明図である。
【図８】本発明のオーディオデータ編集装置の第６の実施の形態におけるオーディオデータの１つのテイクにおける編集画面での調整ゲイン量の表示画像の説明図である。
【図９】オーディオデータ編集装置に周辺機器を接続した従来例を説明するためのブロック図である。
【図１０】図９で説明したオーディオデータ編集装置の操作パネル面の一例を示す概略図である。
【図１１】図１０のオーディオデータ編集装置における編集画面を説明するための模式図である。
【図１２】従来の調整ゲイン量の表示画像の説明図である。
【符号の説明】
１…制御部、２…ディスプレイ、３…入力部、４…ゲイン入力部、５…メモリ、６…記録装置、７，８…基本図形、７ａ，７ｂ，７ｃ，７ｄ，７ｅ，７ｆ，８ａ，８ｂ，８ｃ，８ｄ…ゲイン量を示す線、９…第１の色の着色領域、１０…第２の色の着色領域、１１…オーディオデータ編集装置、１２…テレビモニタ、１３，１４…スピーカ、１５，１６…ビデオテープレコーダ、１７…オーディオレコーダ、２１…マスターボリューム、２２…ボリュームメータ（ＶＵ計）、２３…ゲインボリューム、２４…ディスプレイ。
【図１】
0003926082.tif 000002
【図２】
0003926082.tif 000003
【図３】
0003926082.tif 000004
【図４】
0003926082.tif 000005
【図５】
0003926082.tif 000006
【図６】
0003926082.tif 000007
【図７】
0003926082.tif 000008
【図８】
0003926082.tif 000009
【図９】
0003926082.tif 000010
【図１０】
0003926082.tif 000011
【図１１】
0003926082.tif 000012
【図１２】
0003926082.tif 000013